(57)【要約】【課題】電界伝達媒体に電界を誘起させるトランシーバを省電力化する。【解決手段】開制御部２３は、送信パケットと受信パケットのいずれもが送信または受信されなくなるとデータ記憶部２１からしきい値を読み出し、最後の送信パケットまたは受信パケットの発生時刻からの経過時間長を演算し、当該経過時間長がしきい値以上である場合に開閉スイッチＳＷを開くように制御する。一方、閉制御部２２は、開閉スイッチＳＷが開くように制御されるとデータ記憶部２１から時間関数を読み出し、送信パケットと受信パケットのいずれもが送信または受信されなくなってから現在までにおいて開閉スイッチＳＷが開くように制御された回数を時間関数に入力し、得られた第２のしきい値と開閉スイッチＳＷが開くように制御されてからの経過時間長が第２のしきい値以上である場合に開閉スイッチＳＷを閉じるように制御する。【選択図】      図１
2005005868.tif 000002
【特許請求の範囲】
【請求項１】
送信すべき情報に基づく電界を電界伝達媒体に誘起させ、この電界伝達媒体に誘起された電界に基づく情報を受信する送受信手段を有するトランシーバの当該送受信手段と該送受信手段へ電力を供給する電力供給手段との間に設けられた開閉手段と、
前記送受信手段における最後の送信時刻または受信時刻と前記開閉手段が閉じるように制御された時刻のいずれか遅い方の時刻からの経過時間長と比較される第１のしきい値と、入力される情報が大きいほど値の大きくなる時間関数を記憶するデータ記憶手段と、
前記送受信手段において送信と受信のいずれもがされなくなると前記データ記憶手段から第１のしきい値を読み出し、前記送受信手段における最後の送信時刻または受信時刻と前記開閉手段が閉じるように制御された時刻のいずれか遅い方の時刻からの経過時間長を演算し、該経過時間長と前記読み出した第１のしきい値とを比較し、当該経過時間長が当該第１のしきい値以上である場合に前記開閉手段を開くように制御する開制御手段と、
前記開閉手段が開くように制御されると前記データ記憶手段から前記時間関数を読み出し、前記送受信手段において送信と受信のいずれもがされなくなってから現在までにおいて前記開閉手段が開くように制御された回数を前記読み出した時間関数に入力し、時間関数への回数の入力により得られた値を第２のしきい値とし、該第２のしきい値と前記開閉手段が開くように制御されてからの経過時間長とを比較し、当該経過時間長が第２のしきい値以上である場合に前記開閉手段を閉じるように制御する閉制御手段と
を備えることを特徴とするトランシーバの供給電力制御装置。
【請求項２】
前記データ記憶手段は、前記第２のしきい値の最大値を記憶し、前記閉制御手段は前記データ記憶手段から前記最大値を読み出し、前記第２のしきい値を当該最大値未満にすることを特徴とする請求項１記載のトランシーバの供給電力制御装置。
【請求項３】
前記電界伝達媒体の検出を試みるとともに、電界伝達媒体が検出されない間に限っては、前記開制御手段及び閉制御手段の制御に拘わらず、前記開閉手段を開くように制御する手段を備えることを特徴とする請求項１または２記載のトランシーバの供給電力制御装置。
【発明の詳細な説明】
【０００１】
【発明の属する技術分野】
本発明は、例えばウェアラブルコンピュータ（身体につけるコンピュータ）間のデータ通信のために使用されるトランシーバを省電力化可能なトランシーバの供給電力制御装置に関する。
【０００２】
【従来の技術】
携帯端末の小型化および高性能化により、生体に装着可能なウェアラブルコンピュータが注目されてきている。
【０００３】
従来、このようなウェアラブルコンピュータ間のデータ通信は、コンピュータにトランシーバを接続し、このトランシーバが誘起する電界を、電界伝達媒体である生体の内部を伝達することによって情報（データ）の送受信を行うことが提案されている（例えば、特許文献１参照）。
【０００４】
図６は、従来のトランシーバの構成を示すブロック図である。同図に示すトランシーバ１Ａは、信号の入出力を行うＩ／Ｏ回路１１Ａを介してウェアラブルコンピュータ２Ａに接続されるとともに、送受信電極１３が絶縁体１４を介して生体３に近接して設けられている。ウェアラブルコンピュータ２Ａから送信される情報（データ）は、送信回路１２から送受信電極１３に供給され、送受信電極１３から絶縁体１４を介して生体３に電界を誘起し、この電界が生体３内部を伝達して生体３の他の部位に設けられたトランシーバ１Ａや、生体３からの接触によって電気的に接続されるトランシーバ１Ａに対してウェアラブルコンピュータ２Ａから送信される情報を伝達する。
【０００５】
このようにトランシーバ１Ａを介して伝達されてくる電界を別のトランシーバ１Ａが受信する際には、絶縁体１４を介して送受信電極１３で受信した電界を電界検出光学部１７で電気信号に変換し、信号処理部１５に供給する。信号処理部１５は、電界検出光学部１７からの電気信号に対してフィルタリングや増幅等の信号処理を施す。この信号処理の後、さらにデータの波形整形が波形整形部１６で行われ、これら一連の処理が施された信号がウェアラブルコンピュータ２Ａの受信データとしてＩ／Ｏ回路１１Ａからウェアラブルコンピュータ２Ａに送信される。なお、電界検出光学部１７、信号処理部１５及び波形整形部１６は受信回路を構成するものである。
【０００６】
このように、ウェアラブルコンピュータ２Ａ間のデータ通信に使用されるトランシーバ１Ａは、送信すべきデータに基づく電界を電界伝達媒体である生体３に誘起し、この誘起した電界を用いてデータの送信を行う一方で、データを受信する際には、生体３に誘起された電界を用いてトランシーバ１Ａが信号を受信する。
【０００７】
図７は、ウェアラブルコンピュータ２Ａを生体３の例である人間に装着して使用する場合の例を示す説明図である。同図に示すウェアラブルコンピュータ２Ａａ、２Ａｂ、および２Ａｃは、それぞれ対応して接続されるトランシーバ１Ａａ、１Ａｂ、および１Ａｃを介して人間の腕、肩、胴体などに装着されて互いにデータの送受信を行う。さらに、生体３の手足の先端が、外部機器である外部端末５０にケーブル６０を介して接続されるトランシーバ１Ａ’ａや１Ａ’ｂに接触する場合には、ウェアラブルコンピュータ２Ａａ、２Ａｂ、および２Ａｃと外部端末５０との間でデータの送受信を行うことができる。
【０００８】
【特許文献１】
特開２００１−３５２２９８号公報
【０００９】
【発明が解決しようとする課題】
そして、図６に示すように、ウェアラブルコンピュータ２Ａに電力を供給する電池４から、トランシーバ１Ａの構成要素に対しても常時、すなわち送信回路１２や受信回路が通信を行っていないときでも電力が供給されている。
【００１０】
トランシーバ１Ａにあっては、電界検出光学部１７に用いられるレーザの消費電力が大きいため、このレーザを常時点灯しておくと、電池４の消耗が大きくなる。これは商用電源等からの電力供給が不可能なトランシーバにとって重要な問題である。
【００１１】
本発明は、上記に鑑みてなされたもので、その目的とするところは、トランシーバを省電力化可能なトランシーバの供給電力制御装置を提供することにある。
【００１２】
【課題を解決するための手段】
上記従来の課題を解決するために、請求項１の本発明は、送信すべき情報に基づく電界を電界伝達媒体に誘起させ、この電界伝達媒体に誘起された電界に基づく情報を受信する送受信手段を有するトランシーバの当該送受信手段と該送受信手段へ電力を供給する電力供給手段との間に設けられた開閉手段と、前記送受信手段における最後の送信時刻または受信時刻と前記開閉手段が閉じるように制御された時刻のいずれか遅い方の時刻からの経過時間長と比較される第１のしきい値と、入力される情報が大きいほど値の大きくなる時間関数を記憶するデータ記憶手段と、前記送受信手段において送信と受信のいずれもがされなくなると前記データ記憶手段から第１のしきい値を読み出し、前記送受信手段における最後の送信時刻または受信時刻と前記開閉手段が閉じるように制御された時刻のいずれか遅い方の時刻からの経過時間長を演算し、該経過時間長と前記読み出した第１のしきい値とを比較し、当該経過時間長が当該第１のしきい値以上である場合に前記開閉手段を開くように制御する開制御手段と、前記開閉手段が開くように制御されると前記データ記憶手段から前記時間関数を読み出し、前記送受信手段において送信と受信のいずれもがされなくなってから現在までにおいて前記開閉手段が開くように制御された回数を前記読み出した時間関数に入力し、時間関数への回数の入力により得られた値を第２のしきい値とし、該第２のしきい値と前記開閉手段が開くように制御されてからの経過時間長とを比較し、当該経過時間長が第２のしきい値以上である場合に前記開閉手段を閉じるように制御する閉制御手段とを備えることを特徴とするトランシーバの供給電力制御装置をもって解決手段とする。
【００１３】
この請求項１のトランシーバの供給電力制御装置によれば、送受信手段において送信と受信のいずれもがされなくなると第１のしきい値を読み出し、送受信手段における最後の送信時刻または受信時刻と前記開閉手段が閉じるように制御された時刻のいずれか遅い方の時刻からの経過時間長を演算し、該経過時間長と第１のしきい値とを比較し、当該経過時間長が当該第１のしきい値以上である場合に開閉手段を開くように制御する開制御手段と、開閉手段が開くように制御されると時間関数を読み出し、送信と受信のいずれもがされなくなってから現在までにおいて開閉手段が開くように制御された回数を時間関数に入力し、得られた値を第２のしきい値とし、該第２のしきい値と開閉手段が開くように制御されてからの経過時間長とを比較し、当該経過時間長が第２のしきい値以上である場合に開閉手段を閉じるように制御する閉制御手段とを備えるので、送受信手段での電力消費量が経過時間が長くなるにつれて大きく低減され、その結果として、トランシーバを省電力化することができる。
【００１４】
また、請求項２の本発明は、前記データ記憶手段は、前記第２のしきい値の最大値を記憶し、前記閉制御手段は前記データ記憶手段から前記最大値を読み出し、前記第２のしきい値を当該最大値未満にすることを特徴とする請求項１記載のトランシーバの供給電力制御装置をもって解決手段とする。
【００１５】
この請求項２のトランシーバの供給電力制御装置によれば、閉制御手段は第２のしきい値を最大値未満にするので、必要最小限の電力を与えた上でトランシーバを省電力化することができる。
【００１６】
また、請求項３の本発明は、前記電界伝達媒体の検出を試みるとともに、電界伝達媒体が検出されない間に限っては、前記開制御手段及び閉制御手段の制御に拘わらず、前記開閉手段を開くように制御する手段を備えることを特徴とする請求項１または２記載のトランシーバの供給電力制御装置をもって解決手段とする。
【００１７】
この請求項３のトランシーバの供給電力制御装置によれば、電界伝達媒体が検出されない間に限って、開制御手段及び閉制御手段の制御に拘わらず、開閉手段を開くように制御するので、電界伝達媒体が検出されない間つまり必要の無い間は、送受信手段への電力供給を絶つことができる。
【００１８】
【発明の実施の形態】
以下、図面を用いて本発明の実施の形態を説明する。
【００１９】
図１は、本発明の第１の実施の形態の構成を示す図である。なお、図６に示す従来のトランシーバ１Ａの構成要素と同じく配置されて同等の機能を有する構成要素には同一符号を付し、一部を除いては同一名称を用いる。また、第１の実施の形態においても、図７に示す例と同様の使い方が可能である。
【００２０】
トランシーバ１は、送信回路１２と送受信電極１３と絶縁体１４と第１信号処理部１５と波形整形部１６と電界検出光学部１７とを備え、さらに生体３を感知する生体感知部１８と、生体感知部１８からの出力信号１８１を処理する第２信号処理部１９と、開閉手段である開閉スイッチＳＷを備える。また、トランシーバ１は、Ｉ／Ｏ回路１１Ａの機能に加え、ウェラブルコンピュータ２からの出力信号２０１と出力信号１９１の論理積（ＡＮＤ）をとったスイッチ制御信号１１１１で開閉スイッチＳＷを開閉させるＡＮＤ回路１１１を含むＩ／Ｏ回路１１を備えている。
【００２１】
電池４（電力供給手段）は、トランシーバ１のＩ／Ｏ回路１１、生体感知部１８及び第２信号処理部１９、並びにウェラブルコンピュータ２へ直接接続され、一方、トランシーバ１の送信回路１２及び受信回路（１５，１６，１７）へは、開閉スイッチＳＷを介して接続されている。送信回路１２と受信回路により本発明の送受信手段が構成される。
【００２２】
ウェラブルコンピュータ２は、ウェラブルコンピュータ２Ａの機能に加え、トランシーバ１へ送信する送信パケットまたはトランシーバ１から受信する受信パケット（パケットと総称する）の発生時刻（パケット発生時刻という）もしくは開閉スイッチＳＷを閉じるように制御（閉制御）した時刻（スイッチ閉制御時刻）からの経過時間長Δｂと比較されるしきい値Δｔ（第１のしきい値）と、正の整数である入力情報、具体的には、開閉スイッチＳＷを開くように制御した回数Ｎｃｏｍが大きいほど値の大きくなる時間関数Ｆ（Ｎｃｏｍ）と、開閉スイッチＳＷを強制的にオープン（開制御）したままにするときの最長の時間の長さを示す最大値である最長開制御時間長Ｔｍａｘが予め記憶され、処理の途中では、開閉スイッチＳＷをオープンのままにしておく時間の長さを示す開制御時間長Ｔｓｅｔ（第２のしきい値）と、最後の送信パケットまたは受信パケットの発生時刻とスイッチ閉制御時刻のいずれか遅い方の時刻を示す時刻ａと、開制御の時刻を示す時刻Ｔｏｆｆが記憶されるデータ記憶部２１（データ記憶手段）と、開閉スイッチＳＷの閉制御を行う閉制御部２２（閉制御手段）と、開閉スイッチＳＷの開制御を行う開制御部２３（開制御手段）とを備える。
【００２３】
次に、トランシーバ１とウェラブルコンピュータ２の動作を説明する。
【００２４】
図２は、生体感知部１８の出力信号１８１と第２信号処理部１９の出力信号１９１とを示すタイミングチャートである。なお、第１の実施の形態及び後述する第２の実施の形態の信号値は正論理に基づいたものである。
【００２５】
生体感知部１８の出力信号１８１は、生体３の振動を検出すると高電圧（１という）になり、検出しないと低電圧（０という）になる。第２信号処理部１９の出力信号１９１は、この出力信号１８１を信号処理することにより、図２（ａ）に示すように、出力信号１８１が１である間と、出力信号１８１が０になったときからの経過時間が所定の時間幅Δｔｔｈより長くなるまでの間は１となる。一方、図２（ｂ）に示すように、出力信号１８１が０になったときからの経過時間が所定の時間幅Δｔｔｈより長くなってから出力信号１８１が再び１になるまでの間は０となる。
【００２６】
なお、生体感知部１８が生体３の温度を感知する場合は、出力信号１８１が頻繁に１または０に切り替わらないように、温度がゆらいでも、当該温度がしきい値以上のときは出力信号１８１を１とし、一方、当該しきい値未満のときは０とするように構成してもよい。
【００２７】
図３は、トランシーバ１における電源制御に関わる信号のタイミングチャートであり、図４は、ウェラブルコンピュータ２が行う処理のフローチャートである。
【００２８】
図３に示すように、ウェラブルコンピュータ２から送信回路１２へは送信パケットが散発的に入力される。また、トランシーバ１の電界検出光学部１７による検出、第１信号処理部１５による信号処理及び波形整形部１６による波形整形を経て、ウェラブルコンピュータ２へは受信パケットが散発的に出力される。
【００２９】
図４に示すように、出力信号２０１を１にするとともにデータ記憶部２１において時刻ａに現在の時刻を設定する（ステップＳ１：出力信号２０１を１に，時刻ａ＝現在の時刻）、閉制御部２２は、送信パケットまたは受信パケットの検出を試み（ステップＳ２：パケット検出）、送信パケットまたは受信パケットが検出できたときは、データ記憶部２１において時刻ａに現在の時刻を設定する（ステップＳ３：時刻ａ＝現在の時刻）とともにデータ記憶部２１において入力情報Ｎｃｏｍに０を設定する（ステップＳ５：Ｎｃｏｍ＝０）し、ステップＳ２へと戻る。
【００３０】
ステップＳ２で送信パケットまたは受信パケットが検出されなかったときは、開制御部２３が、データ記憶部２１から時刻ａを読み出し、時刻ａと現在の時刻との差分すなわち、パケットの発生時刻からの経過時間長Δｂを演算する（ステップＳ７：Δｂ＝現在の時刻−時刻ａ）。次に、開制御部２３は、データ記憶部２１からしきい値Δｔを読み出し、該しきい値ΔｔとΔｂとを比較する（ステップＳ９：ΔｔとΔｂを比較）。
【００３１】
しきい値Δｔの方が大きいときは、ステップＳ２へ戻る。一方、ΔｂがΔｔ以上のときは、開制御部２３は出力信号２０１を０にするとともにデータ記憶部２１において開制御の時刻を示す時刻Ｔｏｆｆに現在の時刻を設定する（ステップＳ１１：出力信号２０１を０に，Ｔｏｆｆ＝現在の時刻）。
【００３２】
トランシーバ１のＩ／Ｏ回路１１におけるＡＮＤ回路１１１は、第２信号処理部１９からの出力信号１９１とウェラブルコンピュータ２からの出力信号２０１が共に１の場合に限りスイッチ制御信号１１１１を１にし、その他の場合には０にするので、ステップＳ１１の開制御により出力信号２０１が０になると、図３に示すように、スイッチ制御信号１１１１を０にする。これにより、開閉スイッチＳＷがオープンになり、送信回路１２及び受信回路への電力供給が絶たれることになる。
【００３３】
さて、ステップＳ１１の後、データ記憶部２１において入力情報Ｎｃｏｍに１を加算する（ステップＳ１３：Ｎｃｏｍ＝Ｎｃｏｍ＋１）。続いて、データ記憶部２１から時間関数Ｆと入力情報Ｎｃｏｍとを読み出し、時間関数Ｆに入力情報Ｎｃｏｍを入力し、得られた結果をデータ記憶部２１において開制御時間長Ｔｓｅｔに設定する（ステップＳ１５：Ｔｓｅｔ＝Ｆ（Ｎｃｏｍ））。ただし、Ｔｓｅｔ＜Ｔｍａｘとなるようにする。
【００３４】
次に、閉制御部２２が、データ記憶部２１から時刻Ｔｏｆｆを読み出し、時刻Ｔｏｆｆと現在時刻との差分ΔＴｏｆｆを演算する（ステップＳ１７：ΔＴｏｆｆ＝現在の時刻−Ｔｏｆｆ）。次に、閉制御部２２が、データ記憶部２１から開制御時間長Ｔｓｅｔを読み出し、ΔＴｏｆｆとＴｓｅｔとを比較する（ステップＳ１９：ΔＴｏｆｆとＴｓｅｔとを比較）。
【００３５】
Ｔｓｅｔの方が大きいときは、ステップＳ１７へ戻り、一方、ステップＳ１９でΔＴｏｆｆがＴｓｅｔ以上であるときは、閉制御部２２は、出力信号２０１を１にするとともにデータ記憶部２１において時刻ａに現在の時刻を設定する（ステップＳ２１：出力信号２０１を１に，時刻ａ＝現在の時刻）。
【００３６】
ステップＳ２１の閉制御により出力信号２０１が１になると、図３に示すように、スイッチ制御信号１１１１が１になる。これにより、開閉スイッチＳＷが閉じられ、送信回路１２及び受信回路へ電力が供給されることになる。
【００３７】
ステップＳ２１がなされると、ステップＳ２へ戻るのだが、ここで再びパケットが検出されずに、ステップＳ７、９及び１１を経て、ステップＳ１３に制御が遷移すると、入力情報Ｎｃｏｍがさらに増えることになるので、開制御時間長Ｔｓｅｔ（＝Ｆ（Ｎｃｏｍ））が大きくなる。
【００３８】
したがって、図３に示すように、パケットが検出されない間のウェラブルコンピュータ２からの出力信号２０１は、１の期間が一定で０の期間が段階的に長くなるようにして１と０を繰り返すようになる。そして、第２信号処理部１９からの出力信号１９１が１である限りは、スイッチ制御信号１１１１においても、出力信号２０１の値を継承するので、パケットが途絶えてから、送信回路１２及び受信回路への電力供給を段階的に少なくすることができる。
【００３９】
また、トランシーバ１のＩ／Ｏ回路１１におけるＡＮＤ回路１１１は、第２信号処理部１９からの出力信号１９１とウェラブルコンピュータ２からの出力信号２０１が共に１の場合に限りスイッチ制御信号１１１１を１にし、その他の場合には０にするので、図３に示すように、トランシーバ１が生体３から離れたことにより、出力信号１９１が０になると信号２０１の状態にかかわらず０になって、送信回路１２及び受信回路への電力供給が絶たれることになる。すなわち、生体感知部１８と第２信号処理部１９は、生体３の検出を試みるとともに、生体３が検出されない間に限っては、開制御部２３及び閉制御部２２の制御に拘わらず、開閉スイッチＳＷを開くように制御するのである。
【００４０】
図５は、本発明の第２の実施の形態の構成を示す図である。なお、図１に示すトランシーバ１の構成要素と同じく配置されて同等の機能を有する構成要素には同一符号、同一名称を用いる。また、第２の実施の形態においても、図７に示す例と同様の使い方が可能である。
【００４１】
図５に示すように、トランシーバ１００は、Ｉ／Ｏ回路１１と送信回路１２と送受信電極１３と絶縁体１４と第１信号処理部１５と波形整形部１６と電界検出光学部１７と生体感知部１８と第２信号処理部１９と開閉スイッチＳＷを備える。つまり、トランシーバ１の構成要素を全て備えている。そして、従来のウェラブルコンピュータ２Ａとともに動作する。
【００４２】
トランシーバ１００は、さらに、第１の実施の形態のウェラブルコンピュータ２が備えていたデータ記憶部２１、閉制御部２２及び開制御部２３を電源制御部の構成要素として備え、この電源制御部には、開閉スイッチＳＷを介さずに電池４から直接電力が供給されている。またこの電源制御部からは第１の実施の形態でウェラブルコンピュータ２から出力された出力信号２０１がＡＮＤ回路１１１へ与えられる。
【００４３】
電源制御部は、図４のフローチャートに示す動作をするので、図３のタイミングチャートに示すように動作して第１の実施の形態と同じ作用効果を奏することになる。
【００４４】
なお、本実施の形態では時間関数Ｆ、すなわち入力情報であるＮｃｏｍが大きくなるほど値の大きくなる時間関数を用いたが、Ｎｃｏｍの最大値をＮｍａｘ、ｘ＝Ｎｍａｘ−Ｎｃｏｍとし、入力情報ｘが小さくなるほど値の大きくなる時間関数Ｆ’（ｘ）を時間関数Ｆの代わりに用いたとしても、当該時間関数Ｆ’（ｘ）並びに、Ｎｃｏｍの最大値をＮｍａｘ、ｘ＝Ｎｍａｘ−Ｎｃｏｍとする演算が本実施の形態の時間関数Ｆと同等の機能を果たす。つまり、本実施の形態の時間関数Ｆ、すなわち入力情報Ｎｃｏｍが大きくなるほど値の大きくなる時間関数が実質的に用いられていることになる。
【００４５】
【発明の効果】
以上説明したように、本発明のトランシーバの供給電力制御装置によれば、送受信手段において送信と受信のいずれもがされなくなると第１のしきい値を読み出し、送受信手段における最後の送信時刻または受信時刻と前記開閉手段が閉じるように制御された時刻のいずれか遅い方の時刻からの経過時間長を演算し、該経過時間長と第１のしきい値とを比較し、当該経過時間長が当該第１のしきい値以上である場合に開閉手段を開くように制御する開制御手段と、開閉手段が開くように制御されると関数を読み出し、送信と受信のいずれもがされなくなってから現在までにおいて開閉手段が開くように制御された回数を関数に入力し、得られた値を第２のしきい値とし、該第２のしきい値と開閉手段が開くように制御されてからの経過時間長とを比較し、当該経過時間長が第２のしきい値以上である場合に開閉手段を閉じるように制御する閉制御手段とを備えるので、送受信手段での電力消費量が経過時間が長くなるにつれて大きく低減され、その結果として、トランシーバを省電力化することができる。
【図面の簡単な説明】
【図１】本発明の第１の実の施形態の構成を示す図である。
【図２】生体感知部１８の出力信号１８１と第２信号処理部１９の出力信号１９１とを示すタイミングチャートである。
【図３】トランシーバ１における電源制御に関わる信号のタイミングチャートである。
【図４】ウェラブルコンピュータ２が行う処理のフローチャートである。
【図５】本発明の第２の実の施形態の構成を示す図である。
【図６】従来のトランシーバの構成を示すブロック図である。
【図７】ウェアラブルコンピュータ２Ａを生体３の例である人間に装着して使用する場合の例を示す説明図である。
【符号の説明】
１，１Ａ，１００  トランシーバ
２，２Ａ  ウェアラブルコンピュータ
３  生体（電界伝達媒体）
１１  Ｉ／Ｏ回路
１２  送信回路
１３  送受信電極
１４  絶縁体
１５  信号処理部（第１信号処理部）
１６  波形整形部
１７  電界検出光学部
１８  生体感知部
１９  第２信号処理部
２１  データ記憶部
２２  閉制御部
２３  開制御部
１１１  ＡＮＤ回路
ＳＷ  開閉スイッチ
ａ  送信パケットまたは受信パケットの発生時刻または開閉スイッチの閉制御の時刻
Δｂ  現在時刻と時刻ａとの差分
Δｔ  送受信パケットがない場合に開閉スイッチの閉制御を維持する時間の長さ（第１のしきい値）
Ｔｏｆｆ  開制御の時刻
Ｎｃｏｍ  開閉スイッチを開制御した回数
Ｔｓｅｔ  開閉スイッチの開制御を維持する時間の長さ（第２のしきい値）
Ｔｍａｘ  Ｔｓｅｔの最大値
ΔＴｏｆｆ  開制御の時刻Ｔｏｆｆと現在時刻との差分
Ｆ（Ｎｃｏｍ）  入力された回数Ｎｃｏｍが大きいほど大きい値となる時間関数
【図１】
2005005868.tif 000003
【図２】
2005005868.tif 000004
【図３】
2005005868.tif 000005
【図４】
2005005868.tif 000006
【図５】
2005005868.tif 000007
【図６】
2005005868.tif 000008
【図７】
2005005868.tif 000009